(57)【要約】【課題】ヒューズを着脱することなく簡単な操作で暗電流の導通または遮断状態を切り換え可能であり、構造の複雑化および大型化も回避できるヒューズユニットを提供すること。【解決手段】一対の導電端子１０，１０と、ヒューズエレメント２０と、略直方体形状の樹脂製のハウジングと、を備え、一対の導電端子１０，１０は、各上半部がハウジング３０の下端面から内方に設けられた収容穴３４内を上下動可能に収容され、各上半部のヒューズエレメント２０側の側面に上下方向に離間する第１および第２の凹部１１，１２を有し、下端部１０ａが接続端子４３から離れるよう収容穴３４に深く進入する状態で第１の凹部１１がヒューズエレメント２０の端部と係合し、また下端部１０ａが接続端子４３に電気的に接続するよう浅く進入する状態で第２の凹部１２がヒューズエレメント２０の端部と係合するようになっている。【選択図】図２
2017208295.tif 000002
【特許請求の範囲】
【請求項１】
一対の導電端子と、前記一対の導電端子間に位置され前記一対の導電端子同士を電気的に接続するヒューズエレメントと、前記一対の導電端子の各上半部および前記ヒューズエレメントを覆うように設けられた略直方体形状の樹脂製のハウジングと、を備え、
前記ハウジングが回路基板上に設けられたヒューズボックスに保持され、かつ、前記一対の導電端子が前記回路基板上の前記ヒューズボックス内に位置して設けられた一対の接続端子に電気的に接続され、暗電流の遮断時には前記一対の導電端子の少なくとも一方が前記接続端子から離間されるヒューズユニットであって、
前記ハウジングは、前記ヒューズボックスに対し装着されると分離不能に係合されるようになっており、
前記ヒューズエレメントは、両端部が前記一対の導電端子に対して接近離隔自在に前記ハウジング内に設けられた支持孔にガイドされ、
前記一対の導電端子は、前記各上半部が前記ハウジングの下端面から内方に設けられた収容穴内を上下動可能に収容され、前記各上半部の前記ヒューズエレメント側の側面に上下方向に離間する第１および第２の凹部を有し、下端部が前記接続端子から離れるよう前記収容穴に深く進入する状態で前記第１の凹部が前記ヒューズエレメントの端部と係合し、また前記下端部が前記接続端子に電気的に接続するよう浅く進入する状態で前記第２の凹部が前記ヒューズエレメントの端部と係合するようになっており、
前記各導電端子の上端部より上方に一体に延在され、前記収容穴の奥行端より上方に前記ハウジングの上面部まで貫通する挿通孔に挿通されて外方に所要寸法突出された絶縁性の一対の押し引きロッドがさらに設けられたことを特徴とするヒューズユニット。
【請求項２】
前記ハウジングは、下端面の前記一対の導電端子間および前記一対の支持孔の下半分が開いた状態の開口を有し、さらに前記開口より内方に前記ヒューズエレメントを長さ方向の中央部が湾曲した状態に収容する収容部を有するハウジング本体と、前記開口を閉じた状態に前記ハウジング本体に固定され、かつ前記支持孔の前記下半分および前記収容穴の下部一側をそれぞれ画成している蓋体と、を備えていることを特徴とする請求項１に記載のヒューズユニット。
【請求項３】
前記一対の導電端子の前記上端部と前記押し引きロッドの下端部とが、両者にいずれかを分配して付設された凹部と凸部とにより連結されていることを特徴とする請求項１または２に記載のヒューズユニット。
【請求項４】
前記ハウジングは、４つの側面部のうちの面巾が小さい方の一対の側面部の中央に縦方向に延びる一対の凹条部を有し、前記一対の凹条部に上方に移動したときに引っ掛かる鋸刃状の脱出防止爪を有しており、前記一対の凹条部が前記ヒューズボックスの前記一対の側面部に対向する側面の中央に縦方向に延びる一対の凸条部に案内されるとともに、前記脱出防止爪が前記凸条部に噛み込むようになっていることを特徴とする請求項１〜３のいずれか一項に記載のヒューズユニット。
【発明の詳細な説明】
【技術分野】
【０００１】
本発明は、車両に搭載される電子回路の暗電流を遮断するヒューズエレメントを収容するヒューズユニットに関する。
【０００２】
自動車等の車両では、コンピュータ（ＥＣＵ）のＲＡＭ等のデータ保持や、待ち受け機能維持などのために、イグニッションキーを抜いたときなどにもバッテリーから微弱な電流（暗電流）を流しておく必要がある。
【０００３】
この種の車両では、暗電流によるバッテリー上がりを防止するため、搭載されている回路基板におけるバッテリーからの給電経路中に暗電流遮断用のヒューズを設けている。これにより、当該車両においては、例えば、工場出荷後の車両輸送時等、電力供給の必要がない状況下でヒューズを取り外すことにより暗電流を遮断することができる。
【０００４】
また、この種の車両では、暗電流を遮断するためにヒューズを取り外した際に、該ヒューズを紛失しないように留意する必要がある。取り外したヒューズを紛失しないようにするため、例えば、図８に示す構成を有する回路基板７０を用いるものが従来から知られていた。
【０００５】
図８に示す従来の回路基板７０は、ヒューズ８０を収容したハウジング８１を嵌め込み可能な一対の挟持ブラケット７１ａ，７１ｂを有する通常のヒューズボックス７１に近接して、同じくハウジング８１を嵌め込み可能な一対の挟持ブラケット７２ａ，７２ｂを有する退避用のヒューズボックス７２が設けられている。ヒューズボックス７１にハウジング８１が嵌め込まれたとき、ヒューズ８０の両端部が回路基板７０上に立設された接続端子７５に電気的に接続される。
【０００６】
この回路基板７０を搭載した車両では、当該車両の配送時等、暗電流を遮断する必要がある場合、ハウジング８１をヒューズボックス７１から取り外し、該取り外したハウジング８１を退避用のヒューズボックス７２に嵌め込むことにより、暗電流遮断時のヒューズの紛失を回避できる。
【０００７】
また、ヒューズを着脱することなく暗電流の導通状態と遮断状態の切り換えを可能にする技術として、例えば、暗電流ヒューズをヒューズホルダ２のガイド孔１６，１７からスライドさせて装着し、この状態からヒューズホルダ２を下側に押して暗電流ヒューズ３をヒューズブロック１側の接触子６と接続した状態とし、また、ヒューズホルダ２を上向きに引っ張ることにより、非接続（仮係止）状態とするものが知られていた（例えば、特許文献１、段落００１４〜００１５、図２）。
【先行技術文献】
【特許文献】
【０００８】
【特許文献１】特開平０５−１５９６９３号公報
【発明の概要】
【発明が解決しようとする課題】
【０００９】
図８に示す従来の回路基板は、ヒューズ（ハウジング）の取り外しが不可欠であり、しかも取り外したヒューズを保持するための退避用のヒューズボックスを追加する必要があり、回路基板の構造が複雑かつ大型化するという問題点があった。
【００１０】
また、特許文献１記載の暗電流ヒューズの断続構造では、ヒューズホルダにガイド孔、および上下動させるための機構を設ける要があり、ヒューズホルダの構造が複雑かつ大型化することに加え、ヒューズホルダを上下動させる必要性から暗電流ヒューズを断続する操作も煩雑になるという問題点があった。
【００１１】
本発明は、上述した問題に鑑みてなされたもので、ヒューズを着脱することなく簡単な操作で暗電流の導通または遮断状態を切り換え可能であり、構造の複雑化および大型化も回避できるヒューズユニットを提供することを目的とする。
【課題を解決するための手段】
【００１２】
本発明に係るヒューズユニットは、上記課題を解決するため、一対の導電端子と、前記一対の導電端子間に位置され前記一対の導電端子同士を電気的に接続するヒューズエレメントと、前記一対の導電端子の各上半部および前記ヒューズエレメントを覆うように設けられた略直方体形状の樹脂製のハウジングと、を備え、前記ハウジングが回路基板上に設けられたヒューズボックスに保持され、かつ、前記一対の導電端子が前記回路基板上の前記ヒューズボックス内に位置して設けられた一対の接続端子に電気的に接続され、暗電流の遮断時には前記一対の導電端子の少なくとも一方が前記接続端子から離間されるヒューズユニットであって、前記ハウジングは、前記ヒューズボックスに対し装着されると分離不能に係合されるようになっており、前記ヒューズエレメントは、両端部が前記一対の導電端子に対して接近離隔自在に前記ハウジング内に設けられた支持孔にガイドされ、前記一対の導電端子は、前記各上半部が前記ハウジングの下端面から内方に設けられた収容穴内を上下動可能に収容され、前記各上半部の前記ヒューズエレメント側の側面に上下方向に離間する第１および第２の凹部を有し、下端部が前記接続端子から離れるよう前記収容穴に深く進入する状態で前記第１の凹部が前記ヒューズエレメントの端部と係合し、また前記下端部が前記接続端子に電気的に接続するよう浅く進入する状態で前記第２の凹部が前記ヒューズエレメントの端部と係合するようになっており、前記各導電端子の上端部より上方に一体に延在され、前記収容穴の奥行端より上方に前記ハウジングの上面部まで貫通する挿通孔に挿通されて外方に所要寸法突出された絶縁性の一対の押し引きロッドがさらに設けられた構成である。
【００１３】
この構成により、本発明に係るヒューズユニットは、押し引きロッドにより導電端子を収容穴内で上下動させることで、導電端子の下端部が接続端子から離れるよう収容穴に深く進入して第１の凹部がヒューズエレメントの端部と係合する状態と、端部が接続端子に電気的に接続するよう浅く進入して第２の凹部がヒューズエレメントの端部と係合する状態とを切り換え可能であり、押し引きロッドによる極めて簡単な操作により暗電流の遮断状態と導通状態とを切り換えることができる。
【００１４】
また、本発明に係るヒューズユニットは、既存のヒューズボックスに対して分離不能に係合するハウジングに導電端子を上下動可能に収容した構成であるため、退避用のヒューズボックスを設ける、あるいは、ヒューズホルダを上下動させる機構を付加する従来のものと比べて、構造が簡略であり、しかも大型化することもない。
【００１５】
また、本発明に係るヒューズユニットは、前記ハウジングが、下端面の前記一対の導電端子間および前記一対の支持孔の下半分が開いた状態の開口を有し、さらに前記開口より内方に前記ヒューズエレメントを長さ方向の中央部が湾曲した状態に収容する収容部を有するハウジング本体と、前記開口を閉じた状態に前記ハウジング本体に固定され、かつ前記支持孔の前記下半分および前記収容穴の下部一側をそれぞれ画成している蓋体と、を備えている構成であってもよい。
【００１６】
この構成により、本発明に係るヒューズユニットは、ハウジングの下端面側からの作業によってハウジング本体内にヒューズエレメントを容易に収容でき、組立作業の作業性が向上する。
【００１７】
また、本発明に係るヒューズユニットは、前記一対の導電端子の前記上端部と前記押し引きロッドの下端部とが、両者にいずれかを分配して付設された凹部と凸部とにより連結されている構成であってもよい。
【００１８】
この構成により、本発明に係るヒューズユニットは、一対の導電端子と押し引きロッドを、導電端子の上下動方向の引っ張り力に対しても強固に連結でき、押し引きロッドによる暗電流の導通および遮断状態の切り換え操作を安定的に行うことができる。
【００１９】
また、本発明に係るヒューズユニットは、前記ハウジングは、４つの側面部のうちの面巾が小さい方の一対の側面部の中央に縦方向に延びる一対の凹条部を有し、前記一対の凹条部に上方に移動したときに引っ掛かる鋸刃状の脱出防止爪を有しており、前記一対の凹条部が前記ヒューズボックスの前記一対の側面部に対向する側面の中央に縦方向に延びる一対の凸条部に案内されるとともに、前記脱出防止爪が前記凸条部に噛み込むようになっている構成であってもよい。
【００２０】
この構成により、本発明に係るヒューズユニットは、一対の凹条部を対応する一対の凸条部に合わせて押し込むことでハウジングのヒューズボックスに対する装着を円滑に行うことができる一方、押し引きロッドを上方に引き上げる際には、脱出防止爪が凸条部に噛み込むことで、ハウジングのヒューズボックスからの抜け出しを規制することができる。
【発明の効果】
【００２１】
本発明によれば、ヒューズを着脱することなく簡単な操作で暗電流の導通または遮断状態を切り換え可能であり、構造の複雑化および大型化も回避できるヒューズユニットを提供することができる。
【図面の簡単な説明】
【００２２】
【図１】本発明の一実施の形態に係るヒューズユニットの取付構造を示す上面図である。
【図２】図１に示すヒューズユニットにおけるＡ−Ａ線による断面図である。
【図３】本発明の一実施の形態に係るヒューズユニットのハウジングのヒューズボックスに対する装着手順を説明するための概念図である。
【図４】図２に示すヒューズユニットにおけるＢ−Ｂ線による部分断面図である。
【図５】本発明の一実施の形態に係るヒューズユニットの押し引きロッドと導電端子の構成を示す斜視図である。
【図６】本発明の一実施の形態に係るヒューズユニットの暗電流の遮断状態への第１の移行態様を示す断面図である。
【図７】本発明の一実施の形態に係るヒューズユニットの暗電流の遮断状態への第２の移行態様を示す断面図である。
【図８】退避用のヒューズボックスを有する従来の回路基板の構成を示す上面図である。
【発明を実施するための形態】
【００２３】
以下、本発明の実施の形態に係るヒューズユニットについて図面を参照して説明する。
【００２４】
図１〜図５は本発明の一実施の形態に係るヒューズユニット１の構成を示し、図６および図７はヒューズユニット１における暗電流の遮断状態への移行手順を示している。
【００２５】
図１および図２に示すように、本実施の形態に係るヒューズユニット１は、一対の導電端子１０と、一対の導電端子１０，１０間に位置され一対の導電端子１０，１０同士を電気的に接続するヒューズエレメント２０と、一対の導電端子１０，１０の各上半部およびヒューズエレメント２０を覆うように設けられた略直方体形状の樹脂製のハウジング３０と、を備えている。
【００２６】
ヒューズユニット１は、回路基板４０上に設けられたヒューズボックス４１にハウジング３０が保持され、かつ、一対の導電端子１０，１０が回路基板４０上のヒューズボックス４１内に位置して設けられた一対の接続端子４３，４３に電気的に接続されている。
【００２７】
回路基板４０は、例えば、車両に搭載され、バッテリーから電力の供給を受けて暗電流を必要とする各種装置に駆動電流（暗電流）を供給する電子回路を有するものである。ヒューズユニット１は、ヒューズボックス４１に保持された状態で、上記電子回路と各種装置間に介挿され、一対の導電端子１０，１０を上下動させることで暗電流を導通または遮断状態に切換えるものである。なお、本実施の形態では、暗電流の遮断時には一対の導電端子１０，１０の双方が回路基板４０上の一対の接続端子４３，４３から離間すること前提に説明するが、そのうちの少なくとも一方の導電端子１０が対応する接続端子４３から離間される構成であってもよい。
【００２８】
まず、ヒューズユニット１の取付態様について説明する。図１に示すように、ヒューズユニット１のハウジング３０は、４つの側面部３０ａ，３０ｂ，３０ｃ，３０ｄのうちの面巾が小さい方の一対の側面部３０ａ，３０ｂの中央に縦方向に延びる一対の凹条部３６，３６を有している。一対の凹条部３６，３６には、上方に移動したときに引っ掛かる鋸刃状の脱出防止爪３６ａが形成されている。
【００２９】
他方、回路基板４０上には、基板上面から立設した一対の挟持ブラケット４１ａ，４１ｂを有するヒューズボックス４１が設けられている。ヒューズボックス４１は、既存のものと同様の構成を有し、挟持ブラケット４１ａ，４１ｂの互いに対向する側面の中央に縦方向に延びる一対の凸条部４２，４２を有している。
【００３０】
ヒューズユニット１は、例えば、図３に示すように、二点鎖線で示すヒューズボックス４１に対してハウジング３０を下方（矢印Ｃ方向）に押し下げることでヒューズボックス４１に装着することができる。具体的に、ハウジング３０は、一対の凹条部３６，３６を、ヒューズボックス４１の上記一対の側面部３０ａ，３０ｂに対向する挟持ブラケット４１ａ，４１ｂの側面の中央に縦方向に延びる一対の凸条部４２により案内させつつ下方に向けて押し込むことでヒューズボックス４１に装着される。
【００３１】
ヒューズボックス４１に保持されたハウジング３０は、一対の凹条部３６，３６に形成された脱出防止爪３６ａがヒューズボックス４１の側面に形成された一対の凸条部４２，４２に噛み込むようになっている。これにより、ハウジング３０は、取り外そうとして図３の矢印Ｄ方向に動かした場合でも、ヒューズボックス４１から外れ難い状態で保持される。ハウジング３０の一対の凹条部３６，３６にそれぞれ脱出防止爪３６ａを設けてヒューズボックス４１から抜け難くするのは、一対の導電端子１０，１０を上方に動かす際にハウジング３０がヒューズボックス４１から容易に抜け出ないようにするためである。
【００３２】
次に、ヒューズユニット１の内部の構造について詳しく説明する。図２に示すように、ヒューズユニット１において、ハウジング３０は、下端面の一対の導電端子１０，１０間および一対の支持孔３３，３３の下半分が開いた状態の開口３１ａを有し、さらに開口３１ａより内方にヒューズエレメント２０を長さ方向の中央部が湾曲した状態に収容する収容部３１ｂを有するハウジング本体３１と、開口３１ａを閉じた状態にハウジング本体３１に固定され、かつ支持孔３３の下半分および各収容穴３４の下部一側をそれぞれ画成している蓋体３２と、を備えている。ハウジング本体３１および蓋体３２は、例えばＰＰ（ポリプロプレン）製の成形体で構成される。
【００３３】
ヒューズエレメント２０は、両端部が一対の導電端子１０，１０に対し接近離隔自在にハウジング３０内に設けられた支持孔３３にガイドされている。ヒューズエレメント２０は、両端部が一直線上にあり中央部が湾曲した形状を有する。ヒューズエレメント２０は、例えば、錫製であり、中央部の湾曲した部分が溶断部を形成し、溶断が必要な暗電流の値に応じた断面積を有している。また、ヒューズエレメント２０は、バネ作用を有し、中央部が湾曲の大きさを変えながら両端部の端面間の距離を変更可能な構成である。
【００３４】
一対の導電端子１０，１０は、各上半部がハウジング３０の下端面から内方に設けられた各収容穴３４内を上下動可能に収容されている。各導電端子１０は、図５に示すように、各上半部のヒューズエレメント２０側の側面に上下方向に離間する第１および第２の凹部１１，１２を有している。第１の凹部１１は、上側の面部が広がっていく傾斜面１１ａ、下側の面部が移動方向に直角な面部１１ｂであり、第２の凹部１２は、下側の面部が広がっていく傾斜面１２ｂ、上側の面部が移動方向に直角な面部１２ａである。第１および第２の凹部１１，１２は、ヒューズエレメント２０の端面に対して楔作用を生じて、一対の導電端子１０，１０の上下の移動時、ヒューズエレメント２０を引っ込める方向に大きな推力で押動させる。
【００３５】
一対の導電端子１０，１０は、図２に示すように、下端部が対応する各接続端子４３から離れるよう各収容穴３４に深く進入する状態で第１の凹部１１がヒューズエレメント２０の端部と係合し、また下端部が接続端子４３に電気的に接続するよう浅く進入する状態で第２の凹部１２がヒューズエレメント２０の端部と係合するようになっている。
【００３６】
一対の導電端子１０，１０は、各収容穴３４に浅く進入しているとき、その先端部が、例えば、図４に示すように、各接続端子４３の対向配置された一対の端子板４３ａ，４３ａ間に先端部から押し込まれ、一対の端子板４３ａ，４３ａによって挟持されている。この状態で、各導電端子１０は、各接続端子４３と電気的に接続される。一方で、一対の導電端子１０，１０は、各収容穴３４に深く進入する際には、先端部が一対の端子板４３ａ，４３ａから離間して各接続端子４３との電気的な接続が遮断される。
【００３７】
ヒューズユニット１は、各導電端子１０の上端部より上方に一体に延在され、収容穴３４の奥行端より上方にハウジング３０の上面部まで貫通するロッド挿通孔３５に挿通されて外方に所要寸法突出された絶縁性の一対の押し引きロッド１５がさらに設けられている。
【００３８】
ヒューズユニット１では、各導電端子１０の上端部１０ｂと各押し引きロッド１５の下端部１５ａとが、両者にいずれかを分配して付設された凹部と凸部とにより連結されている。本実施の形態では、例えば、図５に示すように、各導電端子１０の上端部１０ｂに設けられる凹部１３に、各押し引きロッド１５の下端部１５ａに設けた凸部１５ｃが係合している。凹部１３に対する押し引きロッド１５の下端部１５ａに設けた凸部１５ｃの係合は、例えば押し引きロッド１５を図４に示すようにスライドさせることにより行うことができる。
【００３９】
押し引きロッド１５の上端部１５ｂは、環状小径部と環状大径部とが連続に形成された構造となっている。この上端部１５ｂの構造は、手で掴んだ際に適宜な摩擦を生じさせ、一対の導電端子１０を上下動させる際の操作性を高める。なお、一対の押し引きロッド１５，１５は、上端部１５ｂ，１５ｂ間を連結され、一体に押し引きされる構成としてもよい。
【００４０】
次に、ヒューズユニット１における暗電流の導通および状態の切換え動作について図１、図６および７を参照して説明する。ヒューズユニット１は、図１に示すように、押し引きロッド１５が最下方位置まで押下されることにより、一対の導電端子１０，１０が収容穴３４に浅く進入した状態となる。このとき、一対の導電端子１０，１０は、第２の凹部１２がヒューズエレメント２０の端部と係合し、かつ、下端部が接続端子４３に電気的に接続された状態となる。これにより、ヒューズユニット１のヒューズエレメント２０には、当該車両のバッテリーから回路基板４０に実装される電子回路に供給される暗電流が供給され、暗電流の導通状態となる。
【００４１】
この状態から一対の押し引きロッド１５，１５を上方に引き上げると、図６に示すように、一対の導電端子１０，１０が各収容穴３４に図１に示す状態に比べて深く進入した状態となる。このとき、一対の導電端子１０，１０は、第２の凹部１２および第１の凹部１１間の側面がヒューズエレメント２０の端部と係合し、かつ、下端部が各接続端子４３に電気的に切断された状態となる。これにより、ヒューズユニット１は、ヒューズエレメント２０に上記暗電流が流れない暗電流遮断状態となる。
【００４２】
また、このとき、ヒューズエレメント２０は、第２の凹部１２および第１の凹部１１間の側面によって長さ方向に押され、上記バネ性により両端部の端面間の距離が小さくなり、中央部の湾曲が大きくなって収容部３１ｂに収容される。
【００４３】
図６に示す状態から押し引きロッド１５をさらに上方に引き上げると、図７に示すように、一対の導電端子１０，１０が収容穴３４にさらに深く進入した状態となる。このとき、一対の導電端子１０，１０は、第１の凹部１１がヒューズエレメント２０の端部と係合し、かつ、下端部１０ａが接続端子４３に電気的に切断された状態となる。また、このとき、ヒューズエレメント２０は、上記バネ作用により、中央部が大きく湾曲している状態から伸長して元の状態に復元し、両端部が第１の凹部１１に対して確実に係合する。これにより、ヒューズユニット１は上記暗電流遮断状態を安定的に維持することができる。
【００４４】
さらに、図７に示す状態から押し引きロッド１５を最下方位置まで押し下げることで、図１に示すように、一対の導電端子１０の各第２の凹部１２がヒューズエレメント２０の端部と係合し、かつ、下端部が各接続端子４３に電気的に切断された状態、つまり、上記暗電流の導通状態に復帰することができる。
【００４５】
なお、本実施の形態において、各導電端子１０は、図４を参照して説明したように、第１の凹部１１と第２の凹部１２は、それぞれ、傾斜面１１ａおよび１２ｂを有した構造である。これにより、図１、図６および図７に基づき説明した各導電端子１０の上下動に際しては、ヒューズエレメント２０の両端部が通過する際の上記傾斜面１１ａおよび１２ｂの楔作用により、ヒューズエレメント２０が長手方向に押し込まれて中央部が湾曲して収容部３１ｂ内に収容されることで、円滑な上下動が可能となる。
【００４６】
このように、本実施の形態に係るヒューズユニット１では、ハウジング３０は、ヒューズボックス４１に対し装着されると分離不能に係合されるようになっており、ヒューズエレメント２０は、両端部が一対の導電端子１０，１０に対して接近離隔自在にハウジング３０内に設けられた支持孔３３にガイドされ、一対の導電端子１０，１０は、各上半部がハウジング３０の下端面から内方に設けられた収容穴３４内を上下動可能に収容され、各上半部のヒューズエレメント２０側の側面に上下方向に離間する第１および第２の凹部１１，１２を有し、下端部１０ａが接続端子４３から離れるよう収容穴３４に深く進入する状態で第１の凹部１１がヒューズエレメント２０の端部と係合し、また下端部１０ａが接続端子４３に電気的に接続するよう浅く進入する状態で第２の凹部１２がヒューズエレメント２０の端部と係合するようになっており、各導電端子１０の上端部１０ｂより上方に一体に延在され、収容穴３４の奥行端より上方にハウジング３０の上面部まで貫通する挿通孔３５に挿通されて外方に所要寸法突出された絶縁性の一対の押し引きロッド１５，１５がさらに設けられた構成である。
【００４７】
この構成により、本実施の形態に係るヒューズユニット１は、押し引きロッド１５により導電端子１０を収容穴３４内で上下動させることで、導電端子１０の下端部１０ａが接続端子４３から離れるよう収容穴３４に深く進入して第１の凹部１１がヒューズエレメント２０の端部と係合する状態と、端部が接続端子４３に電気的に接続するよう浅く進入して第２の凹部１２がヒューズエレメント２０の端部と係合する状態とを切り換える可能であり、押し引きロッド１５による極めて簡単な操作により暗電流の遮断状態と導通状態とを切り換えることができる。
【００４８】
また、本実施の形態に係るヒューズユニット１は、既存のヒューズボックス１０４に対して分離不能に係合するハウジング３０に導電端子１０を上下動可能に収容した構成であるため、退避用のヒューズボックスを設ける、あるいは、ヒューズホルダを上下動させる機構を付加する従来のものと比べて、構造が簡略であり、しかも大型化することもない。
【００４９】
また、本実施の形態に係るヒューズユニット１は、ハウジング３０が、下端面の一対の導電端子１０間および一対の支持孔３３，３３の下半分が開いた状態の開口３１ａを有し、さらに開口３１ａより内方にヒューズエレメント２０を長さ方向の中央部が湾曲した状態に収容する収容部３１ｂを有するハウジング本体３１と、開口３１ａを閉じた状態にハウジング本体３１に固定され、かつ支持孔３３の下半分および収容穴３４の下部一側をそれぞれ画成している蓋体３２と、を備えていてもよい。
【００５０】
この構成により、本実施の形態に係るヒューズユニット１は、ハウジング３０の下端面側からの作業によってハウジング本体３１内にヒューズエレメント２０を容易に収容でき、組立作業の作業性が向上する。
【００５１】
また、本実施の形態に係るヒューズユニット１は、一対の導電端子１０，１０の上端部１０ｂと各押し引きロッド１５の下端部１５ａとが、両者にいずれかを分配して付設された凹部１３と凸部１５ａとにより連結されている構成であってもよい。
【００５２】
この構成により、本実施の形態に係るヒューズユニット１は、一対の導電端子１０，１０と各押し引きロッド１５を、一対の導電端子１０，１０の上下動方向の引っ張り力に対しても強固に連結でき、各押し引きロッド１５による暗電流の導通および遮断状態の切り換え操作を安定的に行うことができる。
【００５３】
また、本実施の形態に係るヒューズユニット１では、ハウジング３０は、４つの側面部３０ａ，３０ｂ，３０ｃ，３０ｄのうちの面巾が小さい方の一対の側面部３０ａ，３０ｂの中央に縦方向に延びる一対の凹条部３６，３６を有し、一対の凹条部３６，３６に上方に移動したときに引っ掛かる鋸刃状の脱出防止爪３６ａを有しており、一対の凹条部３６，３６がヒューズボックス４１の一対の側面部３０ａ，３０ｂに対向する側面の中央に縦方向に延びる一対の凸条部４２，４２に案内されるとともに、脱出防止爪３６ａが各凸条部４２に噛み込むようになっている構成であってもよい。
【００５４】
この構成により、本実施の形態に係るヒューズユニット１は、一対の凹条部３６，３６を対応する一対の凸条部４２，４２に合わせて押し込むことでハウジング３０のヒューズボックス４１に対する装着を円滑に行うことができる一方、押し引きロッド１５を上方に引き上げる際には、脱出防止爪３６ａが凸条部４２に噛み込むことで、ハウジング３０のヒューズボックス４１からの抜け出しを規制することができる。
【００５５】
本発明によれば、ヒューズを着脱することなく簡単な操作で暗電流の導通または遮断状態を切り換え可能であり、構造の複雑化および大型化も回避できるという効果を有し、暗電流を遮断するヒューズエレメントを収容するヒューズユニット全般に有用である。
【符号の説明】
【００５６】
１  ヒューズユニット
１０  導電端子
１０ａ  下端部
１０ｂ  上端部
１１  第１の凹部
１１ａ  傾斜面
１１ｂ  面部
１２  第２の凹部
１２ａ  面部
１３  凹部
１５  押し引きロッド
１５ａ  下端部
１５ｂ  上端部
１５ｃ  凸部
２０  ヒューズエレメント
３０  ハウジング
３０ａ，３０ｂ，３０ｃ，３０ｄ  側面部
３１  ハウジング本体
３１ａ  開口
３１ｂ  収容部
３２  蓋体
３３  支持孔
３４  収容穴
３５  挿通孔
３６  凹条部
３６ａ  脱出防止爪
４０  回路基板
４１  ヒューズボックス
４１ａ，４１ｂ  挟持ブラケット
４２  凸条部
４３  接続端子
４３ａ  端子板
【図１】
2017208295.tif 000003
【図２】
2017208295.tif 000004
【図３】
2017208295.tif 000005
【図４】
2017208295.tif 000006
【図５】
2017208295.tif 000007
【図６】
2017208295.tif 000008
【図７】
2017208295.tif 000009
【図８】
2017208295.tif 000010